(57)【要約】【課題】  一戸建て住宅などのような比較的軽量な建物の基礎として用いられる免震構造の基礎を効率的かつ経済的に施工できる免震基礎構造を提供する。【解決手段】  地盤側に設けられた基礎スラブ１と建物側に設けられた床スラブ３と当該基礎スラブ１と床スラブ３との間に設けられた複数の免震装置２とから構成する。基礎スラブ１と床スラブ２にそれぞれプレキャストコンクリートからなる下部架台４と上部架台５が建物の桁行き方向およびスパン方向に所定間隔おきに設ける。下部架台４は基礎スラブ１内に、上部架台５は床スラブ３内にそれぞれ一部を埋設して設ける。当該下部架台４と上部架台５との間に免震装置２をそれぞれ設置する。【選択図】              図１
0003109877.tif 000002
【実用新案登録請求の範囲】
【請求項１】
地盤側に設けられた基礎スラブと建物側に設けられた床スラブと当該基礎スラブと床スラブとの間に設けられた複数の免震装置とからなる免震基礎構造において、前記基礎スラブと床スラブにそれぞれプレキャストコンクリートからなる下部架台と上部架台が前記建物の桁行き方向およびスパン方向に所定間隔おきに設けられ、前記下部架台は前記基礎スラブ内に、前記上部架台は前記床スラブ内にそれぞれ一部を埋設して設けられ、かつ当該下部架台と上部架台との間に前記免震装置がそれぞれ設けられてなることを特徴とする免震基礎構造。
【請求項２】
建物の床スラブは、複数の上部架台間に架け渡された受け部材間に複数のデッキプレートを敷設し、当該デッキプレートの上にコンクリートを打設して形成されてなることを特徴とする請求項１記載の免震基礎構造。
【請求項３】
下部架台の下端部は、下端方向に徐々に小径となるように形成され、かつ複数の水平調整ボルトが周方向に所定間隔おきに設けられてなることを特徴とする請求項１または２記載の免震基礎構造。
【請求項４】
下部架台と上部架台間に当該下部架台および上部架台に脱着自在に固定された仮固定部材が取り付けられてなることを特徴とする請求項１〜３のいずれか一に記載の免震基礎構造。
【請求項５】
下部架台および上部架台は、繊維補強コンクリートから形成されてなることを特徴とする請求項１〜４のいずれか一に記載の免震基礎構造。
【考案の詳細な説明】
【技術分野】
【０００１】
本考案は、比較的軽量な建物の基礎に用いられる免震基礎構造に関し、主に一戸建て住宅の基礎として用いられるものである。
【背景技術】
【０００２】
免震構造の基礎として、例えば図６に図示するように、地上に建つ建物２０と当該建物２０を支える基礎２１とを切り離し、当該基礎２１と建物２０との間に免震装置２２として建物２０の荷重を基礎２１側に伝えるとともに地震時の激しい揺れをゆっくりとした水平方向への揺れに変換する積層ゴムと、揺れのエネルギーを吸収することにより、水平方向の揺れ幅を徐々に小さくすると共に揺れをすみやかに減衰させる減衰装置をそれぞれ設置して構成された基礎が知られている。
【０００３】
この場合、基礎２１と建物２０の床スラブは共に、場所打ちコンクリートによって構築され、また免震装置２２が設置される位置にはブロック形状の下部架台２３と上部架台２４がそれぞれ設けられ、これらの架台２３および２４も場所打ちコンクリートによって構築されている。
【特許文献１】特開２００２−３５６９４８号公報
【考案の開示】
【考案が解決しようとする課題】
【０００４】
しかし、下部架台２３と上部架台２４を場所打ちコンクリートで構築するとなると、架台ごとに型枠の組立および撤去を行う必要があるため、型枠の組立および撤去作業に多くの労力を要し、また非常に狭い空間内で配筋工事とコンクリートの打設を強いられるため、作業が非常に面倒なだけでなく、打設されたコンクリートのまわりが悪く、品質の低下を招くおそれがあった。
【０００５】
特に、一戸建て住宅などのような比較的軽量な建物の場合、建物自体が軽量なこと等の理由により、小型の免震装置２２を数多く設置するほうが大きな地震力だけでなく、風などの比較的小さな外力による揺れも効率的に吸収できることが知られており、また架台２３と２４は積層ゴム等の本来の免震装置の他、施工中の上部荷重を受ける支承部材を設置するための架台としても利用されるため、数多く設けられる傾向にある。
【０００６】
そのため、上記した架台をきわめて効率的かつ経済的に施工できる免震基礎構造の開発が望まれていた。
【０００７】
本考案は、以上の課題を解決するためになされたもので、比較的軽量な建物の基礎に用いられる免震構造の基礎を効率的かつ経済的に施工できる免震基礎構造を提供することを目的とする。
【課題を解決するための手段】
【０００８】
請求項１記載の免震基礎構造は、地盤側に設けられた基礎スラブと建物側に設けられた床スラブと当該基礎スラブと床スラブとの間に設けられた複数の免震装置とからなる免震基礎構造において、前記基礎スラブと床スラブにそれぞれプレキャストコンクリートからなる下部架台と上部架台が前記建物の桁行き方向およびスパン方向に所定間隔おきに設けられ、前記下部架台は前記基礎スラブ内に、前記上部架台は前記床スラブ内にそれぞれ一部を埋設して設けられ、かつ当該下部架台と上部架台との間に前記免震装置がそれぞれ設けられてなることを特徴とするものである。  
【０００９】
本考案は、特に免震装置を設置するための下部架台および上部架台をすべて、プレキャストコンクリート部材で形成することにより、これらの架台を設けるために必用な型枠工事や配筋工事等を省略して現場施工の大幅な省力化と効率化を可能にしたものである。
【００１０】
この場合の下部架台および上部架台としては、形状的に特に限定されるものではないが、例えば平面四角形状のものや円形状のものが考えられる。また、繊維補強コンクリートで形成することにより完全な無筋化構造とすることもできる。
【００１１】
なお、本考案は、主に一戸建て住宅の基礎を対象にしているが、免震装置１基当たりの長期荷重を３ｔｏｎ程度とした場合、木造の建物にあっては３階建、鉄骨建物にあっては２階建、そしてＲＣ構造やブロック構造の建物にあっては平屋の建物にも用いることができる。    
【００１２】
請求項２記載の免震基礎構造は、請求項１記載の免震基礎構造において、建物の床スラブは、複数の上部架台間に架け渡された受け部材間に複数のデッキプレートを敷設し、当該デッキプレートの上にコンクリートを打設して形成されてなることを特徴とするものである。
【００１３】
本考案は特に、床スラブの床型枠としてデッキプレートを用いることにより、床型枠の撤去作業を無くし、現場施工の省力化と効率化をさらに高めたものである。
【００１４】
なお、この場合のデッキプレートを床スラブの構造材として利用することによりスラブ補強筋を節約して経済性を図ることもできる。また、受け部材には山形鋼や溝形鋼などの形鋼を用いることができる。
【００１５】
請求項３記載の免震基礎構造は、請求項１または２記載の免震基礎構造において、下部架台の下端部は、下端方向に徐々に小径となるように形成され、かつ複数の水平調整ボルトが周方向に所定間隔おきに設けられてなることを特徴とするものである。
【００１６】
本考案は、下部架台を任意の方向に傾く形状とするとともに、外周部に複数の水平調整ボルトを取り付けることで、下部架台の水平調整を簡単に行えるようにしたもので、施工精度を著しく高めることができる。
【００１７】
下部架台の下端部の形状としては、例えば平面四角形状の下部架台にあっては四角錐形状、平面円形状の下部架台にあっては円錐形状が考えられる。
【００１８】
また、水平調整ボルトの取付け態様としては、例えば下部架台のコンクリート内に垂直に埋設したインサートナットに螺合して取り付け、下部架台の水平調整時に、下部架台の側方または上方からレンチ等の冶具によって水平調整ボルトを回して、下方への突出長さを適宜変える等の方法でよい。
【００１９】
請求項４記載の免震基礎構造は、請求項１〜３のいずれか一に記載の免震基礎構造において、下部架台と上部架台間に当該下部架台および上部架台に脱着自在に固定された仮固定部材が取り付けられてなることを特徴とするものである。
【００２０】
本考案は、下部架台と上部架台を免震装置とともに仮固定部材によって予め組み立てておくことで、これらの部材の運搬、据え付け等を同時に行えるようにしたものである。
なお、この場合の仮固定部材にはプレート材、または山形鋼や溝形鋼などの形鋼を用いることができ、また仮固定部材を下部架台と上部架台に脱着自在に固定する方法としては、例えば下部架台と上部架台に埋設したインサートナットに固定ボルトを締め付けてボルト止めする等の方法でよい。
【００２１】
請求項５記載の免震基礎構造は、請求項１〜４のいずれか一に記載の免震基礎構造において、下部架台および上部架台は、繊維補強コンクリートから形成されてなることを特徴とするものである。
【００２２】
本考案は、特に下部架台および上部架台を繊維補強コンクリートで形成することにより配筋作業を一切無くして任意形状の架台を容易に製作できるようにしたものであり、また、工場生産化を可能にして製品精度を著しく高めることができる。なお、この場合の補強繊維には鋼繊維や炭素繊維などを用いることができる。
【考案の効果】
【００２３】
本考案は、特に免震装置を設置するための下部架台および上部架台をすべて、プレキャストコンクリートによって形成されていることにより、これらの架台を設けるために必要な型枠工事や配筋工事等を省略して現場施工の大幅な省力化と効率化等を図ることができる。
【考案を実施するための最良の形態】
【００２４】
図１と図２は、本考案の一例を示し、図において、根切り底の地盤の上にＲＣ構造の基礎スラブ１が構築され、当該基礎スラブ１の上に複数の免震装置２を介して一戸建て住宅の床スラブ３がＲＣ構造によって構築されている。
【００２５】
基礎スラブ１は、根切り底の地盤上に割栗石１ａを敷き詰め、その上に基礎補強筋１ｂを配筋し、かつコンクリート１ｃを打設することにより場所打ちコンクリートによって構築されている。
【００２６】
また、基礎スラブ１には下部架台４が桁行き方向とスパン方向にそれぞれ所定間隔おきに設置され、各架台４の上に免震装置２がそれぞれ設置されている。
【００２７】
下部架台４は、プレキャストコンクリートから平面四角形状をなすブロック状に形成され、かつ下端部が四角錐状をなして下端方向に徐々に小径となるように形成されている、
また、下部架台４の各コーナ部に下部架台４を水平に設置するための水平調整ボルト４ａが垂設されている。この場合の水平調整ボルト４ａは、下部架台４のコンクリート内に鉛直に埋設されたナット（図省略）に螺合してあり、回すことにより下方への突出長さを自由に調整できるようにされたものである。
【００２８】
このように形成された架台４は、割栗石１ａの上に打設された捨てコンクリート１ｄの上に設置され、かつ各コーナ部の水平調整ボルト４ａによって上端面が水平になるように水平調整された後、上部分の一部を残し、下側部分の大半を基礎スラブ１のコンクリート１ｃ内に埋設して設置されている。
【００２９】
免震装置２は積層ゴムと減衰装置であって、それぞれ必用数、構造設計により定められた位置の架台４の上に設置されている。なお、この場合の免震装置２はこれらの機能を備えたものであれば、形状などは特に限定されるものではない。
【００３０】
また、各免震装置２の上に上部架台５がそれぞれ設置され、そのうち、スパン方向に隣接する上部架台５、５間に受け部材６，６が連続して架けわたされている。受け部材６は山形鋼から形成され、上部架台５，５の両側にそれぞれボルト止め等により固定されている。
【００３１】
また、桁行き方向に隣接する上部架台５，５の受け部材６，６間にデッキプレート７が架け渡され、各デッキプレート７の端部は受け部材６の上に固定されている。
【００３２】
そして、デッキプレート７の上にスラブ補強筋８ａが配筋され、かつコンクリート８ｂが打設され、各上部架台５の上側部分はコンクリート８ｂ内に埋設されている。こうして一戸建て住宅の床スラブ３が構築されている。
【００３３】
次に、本考案の施工方法を図３〜図５に基いて説明する。
１．最初に、基礎スラブ１を施工する。施工に際しては、まず根切りした地盤上に割栗石１ａを敷き詰める。そして、免震装置２を設置する位置に捨てコンクリート１ｄを打設し、当該捨てコンクリート１ｄが硬化した後、その上に位置決め用の墨出しを行い、下部架台４を設置する。そして、各コーナ部の水平調整ボルト４ａによって上端面が水平になるように下部架台の水平調整を行う。
また、割栗石１ａの上に基礎補強筋１ｂを配筋し、そしてコンクリート１ｃを打設して基礎スラブ１の施工を完了する。
【００３４】
２．次に、各下部架台４の上に免震装置２をそれぞれ設置し、その上に上部架台５をそれぞれ設置する。そして、下部架台４と上部架台５を仮固定部材９によって固定することにより、その後の作業中に免震装置２が作動しないようにする。
なお、この場合の仮固定部材９としては、例えばプレート鋼材などを用いることができ、また、仮固定部材９は下部架台４および上部架台５の側部にボルト止めする等して簡単に取り外せるように固定する。
【００３５】
３．次に、スパン方向に隣接する各上部架台５，５間に受け部材６，６を水平に架け渡し、各受け部材６，６は各上部架台５の側部にボルト止めする等して固定する。
【００３６】
４．次に、桁行き方向に隣接する上部架台５，５の受け部材６，６間に床形枠としてデッキプレート７を架け渡し、各デッキプレート７の両端部は受け部材６の上に固定する。そして、デッキプレート７の上にスラブ補強筋８ａを配筋し、かつコンクリート８ｂを打設して床スラブ３の施工を完了する。
なお、床形枠としてデッキブレートの代わりに合板を用いるときは、例えば図５に図示するように受け部材６，６間に架け渡した合板１０を支保工１１によって下から支えるものとし、また合板１０と支保工１１は、床スラブ３の施工が完了した後、撤去する。
【産業上の利用可能性】
【００３７】
本考案は、比較的軽量な建物、主に一戸建て住宅の免震化をきわめて効率的かつ経済的に行うことができる。
【図面の簡単な説明】
【００３８】
【図１】本考案の免震基礎構造の一例を示し、（ａ）はその平面図、（ｂ）は正面図である。
【図２】本考案の免震基礎構造の一例を示し、（ａ）は図１（ａ）におけるイ−イ線拡大断面図、（ｂ）は下部架台、免震装置および上部架台の位置関係を示す斜視図である。
【図３】（ａ），（ｂ），（ｃ），（ｄ）は施工手順を示す断面図である。
【図４】（ａ），（ｂ），（ｃ）は施工手順を示す断面図である。
【図５】床型枠に合板を用いた場合の施工手順を示す断面図である。
【図６】従来の免震基礎構造の一例を示す基礎部の正面図である。
【符号の説明】
【００３９】
１  基礎スラブ
１ａ  割栗石
１ｂ  基礎補強筋
１ｃ  コンクリート
１ｄ  捨てコンクリート
２  免震装置
３  床スラブ
４  下部架台
５  上部架台
６  受け部材
７  デッキプレート
８ａ  スラブ補強筋
８ｂ  コンクリート
９  仮固定部材
１０  合板
１１  支保工
【図１】
0003109877.tif 000003
【図２】
0003109877.tif 000004
【図３】
0003109877.tif 000005
【図４】
0003109877.tif 000006
【図５】
0003109877.tif 000007
【図６】
0003109877.tif 000008